(57)【要約】      （修正有）【課題】水の中に靴が浸入することを前提に何らかの作業や、ダンス、パフォーマンスを行うような場合であっても、水が靴の中に止まることなく、外部へ排出しつつ快適に作業、ダンスやパフォーマンスを行うことが可能な排水機能を備えた靴を提供する。【解決手段】靴底１１と、靴底１１に固定される甲革１２と、甲革１２の裏面部に固定される裏革１３とを備えた靴１０であって、甲革１２及び裏革１３には、それぞれ厚さ方向に貫通するスリット部１４ａ〜１４ｄ，１７ａ〜１７ｅが設けられている。【選択図】図１
2017143894.tif 000002
【特許請求の範囲】
【請求項１】
靴底と、前記靴底に固定される甲革と、前記甲革の裏面部に固定される裏革とを備え、前記甲革及び前記裏革には、それぞれ厚さ方向に貫通するスリット部が設けられていることを特徴とする靴。
【請求項２】
前記スリット部は、第一中足骨対応部及び第五中足骨対応部に設けられていることを特徴とする請求項１記載の靴。
【請求項３】
前記スリット部は、上下方向に沿って形成されていることを特徴とする請求項２記載の靴。
【請求項４】
前記甲革に設けられた前記スリット部と前記裏革に設けられた前記スリット部は、夫々、前記甲革及び前記裏革の前後方向において互いに重複しない部位に設けられていることを特徴とする請求項３記載の靴。
【請求項５】
前記スリット部は、前後方向において複数本設けられていることを特徴とする請求項１、２、３又は４のいずれか１項に記載の靴。
【請求項６】
前記スリット部は、上端部から下端部に至るに従って互いに間隔が大きくなる放射状に設けられていることを特徴とする請求項５記載の靴。
【請求項７】
前記裏革に設けられた前記スリット部には補強部材が設けられていることを特徴とする請求項６記載の靴。
【請求項８】
パンプスであることを特徴とする請求項７記載の靴。
【発明の詳細な説明】
【技術分野】
【０００１】
本発明は、靴の改良に係り、特に、排水機能を備えた靴に関する。
【背景技術】
【０００２】
従来より、地表上に浅く水が溜まっている状態の中で各種作業を行わなければならない場合がある。例えば、大型のレジャーランド等の遊技施設においては、趣向に富んだアトラクションを行う観点から、多くの人数のダンサーやパフォーマーが浅く水を溜めた池の中や、地表上に浅く水が存在する状況下でダンスやパフォーマンスを行うことがある。また、同様の状況下で何らかの作業を行わなければならない場合もある。
【０００３】
このような状況下において、ダンサー、パフォーマー、作業者は一般のダンスシューズや、スニーカー、作業靴等を履いてダンス、パフォーマンスや各種作業を行うが、靴内に浸入した水が足と靴との間に入り込み、足が靴の中で滑る等の事態が生じ、足と靴との一体感を大きく阻害し、場合によっては、ダンス、パフォーンマンスや作業の障害になると共に、ダンサー、パフォーマーや作業者に非常に不快感を及ぼす、という不具合があった。
【０００４】
本件発明者は、このような従来の問題点に鑑み鋭意検討、研究を行い、靴の中に水が所定量浸入するような環境の中で、水の浸入があっても可能な限り着用者の作業を妨げることのない排水機能を備えた靴を発案するに至ったものである。
【０００５】
本件発明者はこのような観点から先行技術文献の調査を行い以下の文献を発見したが、いずれも上記の従来の課題を解決するには至っていない。
【特許文献１】公開特許公報昭５２−１２０５３号公報
【特許文献２】実用新案公告第３７−１４００９号公報
【特許文献３】実開平４−１１２６０９号公報
【発明の開示】
【発明が解決しようとする課題】
【０００６】
そこで、本発明は、水の中に靴が浸入することを前提に何らかの作業や、ダンス、パフォーマンスを行うような場合であっても、水が靴の中に止まることなく、外部へ排出しつつ快適に作業、ダンスやパフォーマンスを行うことが可能な排水機能を備えた靴を提供することにある。
【課題を解決するための手段】
【０００７】
請求項１記載の発明にあっては、靴底と、前記靴底に固定される甲革と、前記甲革の裏面部に固定される裏革とを備えた靴であって、前記甲革及び前記裏革には、それぞれ厚さ方向に貫通するスリット部が設けられていることを特徴とする。
従って、請求項１記載の発明にあっては、前記スリット部から靴内部に浸入した水を靴内部における足の運動の圧力により排出することができる。また、靴を履いて歩行又は走行する場合には、前記スリット部が足の圧力により適宜拡開する。
【０００８】
請求項２記載の発明にあっては、前記スリット部は、第一中足骨対応部及び第五中足骨対応部に設けられていることを特徴とする。従って、請求項２記載の発明にあっては、甲革の幅方向両側から靴内部に浸入した水を排出することができる。
【０００９】
請求項３記載の発明にあっては、前記スリット部は、上下方向に沿って形成されていることを特徴とする。従って、請求項３記載の発明にあっては、靴の高さ方向において靴内部に浸入した水が排出される。
【００１０】
請求項４記載の発明にあっては、前記甲革に設けられた前記スリット部と前記裏革に設けられた前記スリット部は、夫々、前記甲革及び前記裏革の前後方向において互いに重複しない部位に設けられていることを特徴とする。従って、請求項４記載の発明にあっては、足の圧力により前記スリット部が空隙を形成した場合であっても、当該空隙部を介して外方から靴内部が視認されることはない。
【００１１】
請求項５記載の発明にあっては、前記スリット部は、前後方向において複数本設けられていることを特徴とする。従って、請求項５記載の発明にあっては、前記甲革の上下方向に沿って設けられた前記スリット部が靴前後方向に複数形成されているため、前記複数のスリット部を介して内部の水が排出される。
【００１２】
請求項６記載の発明にあっては、前記スリット部は、上端部から下端部に至るに従って互いに間隔が大きくなる放射状に設けられていることを特徴とする。従って、請求項６記載の発明にあっては、靴を使用者が装着した場合には、最も甲革に対して内部から圧力が作用する甲革の下部周縁部において前記スリット部が拡開しやすいように前記スリット部が配設されている。
【００１３】
請求項７記載の発明にあっては、前記裏革に設けられた前記スリット部には補強部材が設けられていることを特徴とする。
従って、請求項７記載の発明にあっては、裏革は内部で使用者の足と直接に当接することとなり、前記裏革が使用者の足と擦れ合った場合であっても、補強部材が設けられていることから、足との擦れによって、前記スリット部が破損することない。
【００１４】
請求項８記載の発明にあっては、靴はパンプスであることを特徴とする。
【発明の効果】
【００１５】
請求項１記載の発明にあっては、靴底と、前記靴底に固定される甲革と、前記甲革の裏面部に固定される裏革とを備えた靴であって、前記甲革及び前記裏革には、それぞれ厚さ方向に貫通するスリット部が設けられ、前記スリット部から靴内部に浸入した水を靴内部における足の運動の圧力により排出することができるように構成されていることから、浅く水が張られているような場所で作業や運動等を行い、水が靴の中に浸入することが前提となる場合であっても、靴内部に浸入した水を適宜外部へ排出させつつ運動や作業を行うことが可能となるため、水が靴内部に入り込んだままで、足と靴内側面との間に水が介在することによる靴の足との密着間の低下を可及的に減少させ、常に、靴と足との一体感を確保しつつ作業や、運動が可能となる靴を提供することが可能となる。
【００１６】
また、靴を履いて歩行又は走行する場合には、前記スリット部が足の圧力により適宜拡開することから、前記甲革及び前記裏革が前記スリットが設けられていることから、足の運動により裏革及び甲革に圧力が掛った場合にも必要に応じて伸びることができるため、足を甲革及び裏革が圧迫することがなく、激しい運動やハードに足を動かすような作業を行う場合であっても、足を圧迫することなく足に負担がかからない靴を提供することが可能となる。
【００１７】
請求項２記載の発明にあっては、前記スリット部は、第一中足骨対応部及び第五中足骨対応部に設けられており、前記甲革の幅方向両側から靴内部に浸入した水を排出することができるから、最も靴の部位の中で幅広に形成されている部位から排水を行うことが可能となる。
【００１８】
また、第一中足骨対応部及び第五中足骨対応部は、靴の中で最も幅広の部位であり、最も歩行や走行の運動により発生する足の圧力が甲革及び裏革に作用する部位であることから、前記スリット部が拡開することにより圧力を有効に逃がすことができ、結果的に、足への負担のより少ない靴を提供することが可能となる。
【００１９】
請求項３記載の発明にあっては、前記スリット部は上下方向に沿って形成され、靴の高さ方向において靴内部に浸入した水が排出されるため、靴内部に浸入した水を効率よく排出することができる。
【００２０】
請求項４記載の発明にあっては、前記甲革に設けられた前記スリット部と前記裏革に設けられた前記スリット部は、夫々、前記甲革及び前記裏革の前後方向において互いに重複しない部位に設けられていることから、請求項１記載の発明の効果に加えて、浅く水が存在するような場所で作業や運動を行うような場合であっても、外方から甲革及び裏革を介しての靴内部への水の浸入を可及的に阻止することができる。
また、靴内部で動く足の裏革及び甲革への圧力により前記スリット部が拡開して空隙を形成した場合であっても、当該空隙部を介して外方から靴内部が視認されることはないため、排水機能を有しつつも外部から足又は靴下が視認されることのない靴を提供することが可能となる。
【００２１】
請求項５記載の発明にあっては、前記スリット部は、前後方向において複数本設けられており、前記甲革の上下方向に沿って設けられた前記スリット部が靴前後方向に複数形成されているため、前記複数のスリット部を介して内部の水が排出されるように構成されており、靴の前後方向において効率よく内部に浸入した水を排出することができる。
【００２２】
請求項６記載の発明にあっては、前記スリット部は、上端部から下端部に至るに従って互いに間隔が大きくなる放射状に設けられており、靴を使用者が装着した場合には、最も甲革に対して内部から圧力が作用する前記甲革の下部周縁部において前記スリット部が拡開しやすいように前記スリット部が配設されていることから、運動や歩行による足の変形に適宜追随して排水用の空隙を効率よく形成することができるため、より排水効率のよい靴を提供することが可能となる。
【００２３】
請求項７記載の発明にあっては、前記裏革に設けられたスリット部には補強部材が設けられており、裏革は内部で使用者の足と直接に当接することとなり、前記裏革が使用者の足と擦れ合った場合であっても、補強部材が設けられていることから、足との擦れによって、前記スリット部が破損することないように構成されているため、耐久性に富み、激しい運動にも使用することが可能な排水機能を有する靴を提供することが可能となる。
【００２４】
請求項８記載の発明にあっては、排水機能を有すると共に、運動や歩行による足の変形によく追随して前記甲革及び前記裏革が伸縮し、適切に足の変形に追随することができる靴を提供することが可能となる。
【図面の簡単な説明】
【００２５】
【図１】本発明に係る靴をパンプスに適用した場合の一実施の形態を示す斜視図である。
【図２】本発明に係る靴に使用される甲革の一実施の形態を示す平面展開図である。
【図３】本発明に係る靴に使用される裏革の一実施の形態を示す平面展開図である。
【図４】本発明に係る靴に使用される裏革の裏面部において、スリットが設けられた部位に固定された補強材を示す斜視図である。
【発明を実施するための最良の形態】
【００２６】
以下、本発明に係る靴をパンプスに適用した実施の形態に基づき、図面を参照して詳細に説明する。
【００２７】
図１に示すように、本実施の形態に係る靴はパンプス１０として構成され、靴底１１と、靴底１１に固定される甲革１２と、甲革１２のトップライン１５において甲革１２の裏面部及び靴底１１に固定される裏革１３とを備え、甲革１２及び裏革１３には、それぞれ厚さ方向に貫通するスリット部１４、１７が設けられている。
【００２８】
甲革１２のスリット部１４は、パンプス１０の最も幅寸法の大きな部位である第一中足骨対応部１９及び第五中足骨対応部２０において、パンプス１０の両側部にスリット部１４が設けられている。
【００２９】
本実施の形態にあっては、甲革１２にあっては、甲革１２の上下方向に沿って甲革１２の幅方向の略全域に亘って、パンプス１０の前後方向に沿って４本の表側スリット部１４ａ、１４ｂ、１４ｃ、１４ｄが設けられている。一方、図３に示すように、裏革１３にあっては、裏革１３の幅方向の略全域に亘って、パンプス１０の前後方向に沿って５本の裏側スリット部１７ａ、１７ｂ、１７ｃ、１７ｄ、１７ｅが設けられている。
【００３０】
４本の表側スリット部１４ａ、１４ｂ、１４ｃ、１４ｄ及び５本の裏側スリット部１７ａ、１７ｂ、１７ｃ、１７ｄ、１７ｅは、夫々、トップライン１５から靴底１１方向に向かう直線により形成され、トップライン１５近傍から甲革１２及び裏革１３の下縁部１６近傍に至るまで、下縁部１６に向かって拡開するように放射状に配置されている。
【００３１】
スリット部１４、１７は、甲革１２及び裏革１３に切断具により切れ目を入れることにより形成され、本実施の形態にあっては、上端部においては１ｃｍ間隔で並列して設けられていると共に、全体として上端部から下端部に至るに従って互いに間隔が大きくなる放射状に設けられている。
【００３２】
そして、本実施の形態にあっては、図１に示すように、上記甲革１２に設けられた表側スリット部１４と裏革１３に設けられた裏側スリット部１７とは、夫々、甲革１２及び裏革１３の前後方向において互いに重複しない部位に設けられている。
【００３３】
即ち、裏側スリット部１７ｂは表側スリット部１４ａと表側スリット部１４ｂとの中間部位に配置され、裏側スリット部１７ｃは、表側スリット部１４ｂと表側スリット部１４ｃとの中間部位に配置され、裏側スリット部１７ｄは表側スリット部１４ｃと表側スリット部１４ｄとの中間部位に配置され、裏側スリット部１７ａは裏側スリット部１７ａの靴のつま先側に配置され、裏側スリット部１７ｅは表側スリット部１４ｄのかかと側に配置されるように、裏革１３は甲革１２にトップライン１５及び下縁部１６において縫合固定されている。
【００３４】
また、図４に示すように、裏革１３に設けられた裏側スリット部１７ａ、１７ｂ、１７ｃ、１７ｄが形成された部位には、裏革１３の裏面部において補強部材１８が縫着されている。補強部材１８は、甲革１２と同一の素材からなり、平面略台形状に形成されている。補強部材１８は裏側スリット部１７ａ、１７ｂ、１７ｃ、１７ｄ、１７ｅの両側において、夫々の裏側スリット部１７ａ、１７ｂ、１７ｃ、１７ｄ、１７ｅの上端部から下端部に掛けて、裏革１３に対して逆Ｖ字状に縫合固定されている。
また、本実施の形態に係るパンプス１０にあっては、作製にあたっては「つり込み方式」により甲革１２及び裏革１３が靴底１１に縫合固定されるものであるが、一般の「つり込み方式」よりも引張力の小さい「緩やかなつり込み方式」により作製される。その結果、甲革１２及び裏革１３は、一般の靴の場合よりも緩やかに靴底１１に固定されており、足の動作に応じて、僅甲革１２と裏革１３とは相対的にずれることができるように構成されている。
【００３５】
以下、本実施の形態に係るパンプス１０の機能について説明する。
本実施の形態に係るパンプス１０にあっては、例えば、ダンサー等が履いて、アトラクション会場等に設けられた、一面に浅く水が存在するような場所でダンスを行うために使用された場合に、ダンスの激しい動作により、パンプス１０内部に水が浸入した場合であっても、本実施の形態に係るパンプス１０は「緩やかなつり込み方式」により作製されていることから、使用者の足の動作に応じて、甲革１２と裏革１３との間には非常に僅かながら間隙が形成されることから。内部に浸入した水は、動作に応じたパンプス１０内部の足の圧力により押されて、裏側スリット部１７ａ、１７ｂ、１７ｃ、１７ｄ、１７ｅから、裏革１３と甲革１２との間の間隙を介して表側スリット部１４ａ、１４ｂ、１４ｃ、１４ｄに至り、外部へ排出される。
【００３６】
また、表側スリット部１４と裏革１３に設けられた裏側スリット部１７とは、夫々、甲革１２及び裏革１３の前後方向において互いに重複しない部位に設けられており、裏側スリット部１７ｂは表側スリット部１４ａと表側スリット部１４ｂとの中間部位に配置され、裏側スリット部１７ｃは、表側スリット部１４ｂと表側スリット部１４ｃとの中間部位に配置され、裏側スリット部１７ｄは表側スリット部１４ｃと表側スリット部１４ｄとの中間部位に配置され、裏側スリット部１７ａは裏側スリット部１７ａの靴のつま先側に配置され、裏側スリット部１７ｅは表側スリット部１４ｄのかかと側に配置されるように、裏革１３は甲革１２にトップライン１５及び下縁部１６において縫合固定されていることから、甲革１２及び裏革１３を介しての外方からパンプス１０内部への水の浸入は最小限となるように阻止される。
【００３７】
また、表側スリット部１４及び裏側スリット部１７は甲革１２及び裏革１３の上下方向に沿って形成されていることから、ダンスや、パフォーマンス等により激しく足を動かした場合には、パンプス１０内の足の動作に追随して表側スリット１４及び裏革スリット１７がパンプス１０の前後方向に沿って拡開し、足を甲革１２及び裏革１３が圧迫することがなく、激しい運動やハードに足を動かすような作業を行う場合であっても、足を圧迫することなく足に負担がかからないパンプス１０を提供することが可能となる。
【００３８】
また、本実施の形態にあっては、スリット部１４、１７は、第一中足骨対応部１９及び第五中足骨対応部２０に設けられており、パンプス１０の幅方向両側から内部に浸入した水を排出することができるから、最もパンプス１０の部位の中で幅広に形成されている部位から排水を行うことが可能となる。
【００３９】
また、第一中足骨対応部１９及び第五中足骨対応部２０は、パンプス１０の中で最も幅広の部位であり、最も歩行や走行の運動により発生する足の圧力が甲革及び裏革に作用する部位であることから、表側スリット部１４及び裏側スリット部１７が拡開することにより圧力を有効に逃がすことができ、結果的に、足への負担のより少ないパンプス１０を提供することが可能となる。
【００４０】
また、スリット部１４、１７は上下方向に沿って形成され、パンプス１０の高さ方向において靴内部に浸入した水が排出されるため、靴内部に浸入した水を効率よく排出することができる。
【００４１】
また、甲革１２に設けられたスリット部１４と裏革１３に設けられたスリット部１７は、夫々、甲革１２及び裏革１３の前後方向において互いに重複しない部位に設けられていることから、パンプス１０内部で動く足の裏革１７及び甲革１４への圧力によりスリット部１４、１７が拡開して空隙を形成した場合であっても、当該空隙部を介して外方から靴内部が視認されることはないため、排水機能を有しつつも外部から足又は靴下が視認されることのないパンプス１０を提供することが可能となる。
【００４２】
本実施の形態にあっては、スリット部１４、１７は、前後方向において複数本設けられており、甲革１２及び裏革１７の上下方向に沿って設けられたスリット部１４、１７が靴前後方向に複数形成されているため、前記複数のスリット部１４、１７を介して内部の水が排出されるように構成されており、パンプス１０の前後方向において効率よく内部に浸入した水を排出することができる。
【００４３】
また、本実施の形態にあっては、スリット部１４、１７は、上端部から下端部に至るに従って互いに間隔が大きくなる放射状に設けられており、パンプス１０を使用者が装着した場合には、最も甲革１２に対して内部から圧力が作用する甲革１２の下部周縁部１６においてスリット部１４、１７が拡開しやすいように配設されていることから、運動や歩行による足の変形に適宜追随して排水用の空隙を効率よく形成することができるため、より排水効率のよいパンプス１０を提供することが可能となる。
【００４４】
また、本実施の形態にあっては、裏革１３に設けられたスリット部１７には補強部材１８が設けられており、裏革１３は内部で使用者の足と直接に当接することとなり、裏革１３が使用者の足と擦れ合った場合であっても、補強部材１８が設けられていることから、足との擦れによって、スリット部１７が破損することないように構成されているため、耐久性に富み、激しい運動にも使用することが可能な排水機能を有するパンプスを提供することが可能となる。
【００４５】
なお、本実施の形態にあっては、スリット部１４、１７が甲革１２及び裏革１３の上下方向に沿って直線状に形成されている場合を例に説明したが、本実施の形態に限定されず、
スリット部１４、１７の形状、本数に関しては、本実施の形態には限定されない。また、スリット部１４、１７を設ける部位に関しても本実施の形態に限定されない。
【産業上の利用可能性】
【００４６】
本発明に係る靴は、広く水が靴内部に浸入しやすい場所で使用する靴に適用することができることから広く産業の利用可能性を有している。
【符号の説明】
【００４７】
１０  パンプス（靴）
１１  靴底
１２  甲革
１３  裏革
１４  表側スリット部
１５  トップライン
１６  下縁部
１７  裏側スリット部
１８  補強部材
１９  第一中足骨対応部
２０  第五中足骨対応部
【図１】
2017143894.tif 000003
【図２】
2017143894.tif 000004
【図３】
2017143894.tif 000005
【図４】
2017143894.tif 000006